(57)【要約】      （修正有）【課題】発変電所の現場機器又は所内結線表示板において、タブレットが垂直面に取付けられている状態で、強風又は振動があっても所内結線表示板、現場機器等から脱落しないタブレットの脱落防止構造を提供する。【解決手段】表示板用のタブレット１と、現場に設置した現場機器に取り付ける機器用のタブレット１との２枚１組から成り、同型のタブレット１でなければその取付台座５に取り付けられないようにする機器操作用誤認防止タブレットであり、機器ごとに固有の配置になる複数の挿通孔４を設けたタブレット１と、このタブレット１に設けた挿通孔４と嵌り合うように複数本のピン７を配置した各取付台座とを備え、取付台座から各タブレット１が離脱しないように、取付台座のピン７に、突出部が出没自在になる抜け止め構造８とから成る。【選択図】図１
2008116726.tif 000002
【特許請求の範囲】
【請求項１】
発変電所の所内結線表示板又は模擬母線等の結線表示板（２）に取り付ける表示板用のタブレット（１）と、現場に設置した現場機器（３）に取り付ける機器用のタブレット（１）との２枚１組から成り、同型のタブレット（１）でなければその取付台座（５，６）に取り付けられないようにすることにより、操作員の誤認を未然に防止する機器操作用誤認防止タブレットであって、
前記機器ごとに固有の配置になる複数の挿通孔（４）を設けたタブレット（１）と、
前記タブレット（１）に設けた前記挿通孔（４）と嵌り合うように複数本のピン（７）を配置した結線表示板（２）と現場機器（３）の各取付台座（５，６）と、を備え、
前記取付台座（５，６）から各タブレット（１）が離脱しないように、該取付台座（５，６）のピン（７）に、突出部が出没自在になる抜け止め構造（８）と、から成る、ことを特徴とする機器誤認操作防止用タブレットの脱落防止構造。
【請求項２】
前記取付台座（５，６）の抜け止め構造（８）は、
前記ピン（７）の先端近傍の側面から凹部（９）を開け、該凹部（９）内にコイルばね（１０）を、該ピン（７）の長手方向に対して直交する方向に出没自在になる球面部（１１）と共に内挿したものである、ことを特徴とする請求項１の機器誤認操作防止用タブレットの脱落防止構造。
【請求項３】
前記抜け止め構造（８）の凹部（９）は、前記取付台座（５，６）の設置時に、前記ピン（７）の先端近傍において下方へ向くように開けた、ことを特徴とする請求項２の機器誤認操作防止用タブレットの脱落防止構造。
【請求項４】
前記取付台座（５，６）の前記抜け止め構造（８）は、
前記ピン（７）の先端近傍の側面から、該ピン（７）の長手方向と平行になる溝部（１２）を開け、該溝部（１２）内に突起部（１３）を有する板ばね（１４）を該突起部（１３）が出没自在になるように取り付けたものである、ことを特徴とする請求項１の機器誤認操作防止用タブレットの脱落防止構造。
【請求項５】
前記抜け止め構造（８）の溝部（１２）は、前記取付台座（５，６）の設置時に、前記ピン（７）の先端近傍において下方へ向くように開けた、ことを特徴とする請求項４の機器誤認操作防止用タブレットの脱落防止構造。
【発明の詳細な説明】
【技術分野】
【０００１】
本発明は、発変電所の現場機器を「操作票」となるタブレットを用いて確認しながら手順どおり操作する際に、その誤認を防止する機器誤認操作防止用タブレットの脱落防止構造に関するものである。
【背景技術】
【０００２】
発変電所の現場機器を操作する際に、対象機器を「操作票」で確認し、手順どおりに操作していた。発変電所には所内結線表示板、また制御所等には所管系統表示板が設置されている。この操作票は、機器操作の手順を機器名称及び英数字等の番号で記載したものである。その後、所内結線表示板に機器状態を表示して、最終確認をしていた。この結線表示板は、機器全体のつながりがわかりやすく略記号で表現したものである。
【０００３】
現場機器の名称及び番号は、似ているものが多く、かつその配置が複雑であるために、発変電所構内では停電中「開」が正確に認識できず、操作票だけでは勘違いによる誤操作の原因になりやすかった。そこで、発変電所の「所内結線表示板」の対象機器マークと現場の対象機器に、鍵に代わるような同型の「タブレット」、但し機器ごとに固有の形状を有するものをそれぞれ取り付けている。このタブレットは機器ごとに固有の形をしているので、同型のタブレットでなければタブレットの取付台座にセットできず、操作員の誤認を未然に防止するものである。
【０００４】
このように操作員の誤認を未然に防止する技術が種々提案されている。例えば、各種の実施機械に加工・計測等の適切な条件を指示するために、成形工程においてワークとしての金型や仕様に対応づけて材料の選択やその巻き方などを成形機に指示する技術が提案されている。例えば、特許文献１の特開平７−６０８６２号公報「操作盤」に示すように、加工・計測等の実施機械に適切な条件を指示するための操作盤であって、ワーク等に合わせて選択される複数の押しボタンスイッチと、特定の押しボタンスイッチの位置にのみ穴をあけたタブレット板を掛け得る掛け具と、その掛け具にタブレット板が掛かったか否かを検知して不検知の際には押しボタンスイッチの機能を停止する検知手段とを備えた操作盤が提案されている。
【特許文献１】特開平７−６０８６２号
【０００５】
また、特許文献２の特開平８−１８８５９号公報「操作制御装置」に示すように、複数の第１の操作キーと、当該複数の第１の操作キーに応じた制御設定情報の下位階層に属する制御設定情報を選択設定する複数の第２の操作キーと、上記第１及び又は上記第２の操作キーに応じた制御設定情報を表示する表示手段とが操作パネル上に配され、上記第１の操作キーの操作及び続く上記第２の操作キーの操作により所定の電子機器の制御設定を切り換える操作制御装置において、上記操作パネルに複数の第３の操作キーが配され、上記第１の操作キー及び又は上記第２の操作キーに応じた制御設定情報を上記複数の第３の操作キーのうち指定された第３の操作キーに割り当てて登録すると共に、当該登録した制御設定情報を当該指定された第３の操作キーの操作に基づいて実行し、又は上記表示手段に表示することを特徴とする操作制御装置が提案されている。
【特許文献１】特開平８−１８８５９号
【発明の開示】
【発明が解決しようとする課題】
【０００６】
特許文献１の「操作盤」、特許文献２の「操作制御装置」は、人為的ミスを防止するためのタブレットやキーを使用する誤認防止器である。これらの特許文献は共に、電気的な操作装置による誤認防止であり、現場機器の手動操作には利用できないものであった。
【０００７】
現場機器に既に取り付けた機器用タブレットは、垂直面に取り付けられているため、機器動作による振動などが原因で少しずつ脱落することがあった。特に、屋外の現場機器に取り付けられたタブレットでは強風等も原因して脱落しやすかった。タブレットは一度落下すると、その強風に飛ばされて紛失しやすいという問題を有していた。
【０００８】
所内結線表示板に取り付けた表示板用タブレットは、所内結線表示板が移動式のものは移動時の床面凹凸による振動で、表示板用タブレットも脱落しやすかった。特に、所内結線表示板には多数のタブレットを取り付けているために、同時に多数のタブレットが脱落しやすいという問題を有していた。
【０００９】
本発明は、かかる問題点を解決するために創案されたものである。すなわち、本発明の目的は、現場機器又は所内結線表示板の取付台座に工夫を施すことで、タブレットが垂直面に取付けられている状態で、強風又は振動があっても所内結線表示板、現場機器等から脱落することを防止することができる機器誤認操作防止用タブレットの脱落防止構造を提供することにある。
【課題を解決するための手段】
【００１０】
本発明のタブレットの脱落防止構造によれば、発変電所の所内結線表示板又は模擬母線等の結線表示板（２）に取り付ける表示板用のタブレット（１）と、現場に設置した現場機器（３）に取り付ける機器用のタブレット（１）との２枚１組から成り、同型のタブレット（１）でなければその取付台座（５，６）に取り付けられないようにすることにより、操作員の誤認を未然に防止する機器操作用誤認防止タブレットであって、前記機器ごとに固有の配置になる複数の挿通孔（４）を設けたタブレット（１）と、前記タブレット（１）に設けた前記挿通孔（４）と嵌り合うように複数本のピン（７）を配置した結線表示板（２）と現場機器（３）の各取付台座（５，６）と、を備え、前記取付台座（５，６）から各タブレット（１）が離脱しないように、該取付台座（５，６）のピン（７）に、突出部が出没自在になる抜け止め構造（８）と、から成る、ことを特徴とする機器誤認操作防止用タブレットの脱落防止構造が提供される。
【００１１】
前記取付台座（５，６）の抜け止め構造（８）は、前記ピン（７）の先端近傍の側面から凹部（９）を開け、該凹部（９）内にコイルばね（１０）を、該ピン（７）の長手方向に対して直交する方向に出没自在になる球面部（１１）と共に内挿したものである。
前記抜け止め構造（８）の凹部（９）は、前記取付台座（５，６）の設置時に、前記ピン（７）の先端近傍において下方へ向くように開けることが好ましい。
【００１２】
前記取付台座（５，６）の前記抜け止め構造（８）は、前記ピン（７）の先端近傍の側面から、該ピン（７）の長手方向と平行になる溝部（１２）を開け、該溝部（１２）内に突起部（１３）を有する板ばね（１４）を該突起部（１３）が出没自在になるように取り付けたものである。
前記抜け止め構造（８）の溝部（１２）は、前記取付台座（５，６）の設置時に、前記ピン（７）の先端近傍において下方へ向くように開けることが好ましい。
【発明の効果】
【００１３】
上記構成のタブレットの脱落防止構造では、各取付台座（５，６）から各タブレット（１）が離脱しないように、該取付台座（５，６）のピン（７）に、突出部が出没自在になる抜け止め構造（８）を設けたので、垂直面に取付けられたタブレット（１）が、振動している現場機器（３）又は結線表示板（２）から落下することを防止することができる。また、取付台座（５，６）のピン（７）に設けられた、突出部が出没自在になる抜け止め構造（８）であれば、タブレット（１）を取付台座（５，６）に容易に掛け止めることができ、また簡単に取付台座（５，６）から容易に外すことができるので、操作者の負担にならない。
【００１４】
取付台座（５，６）のピン（７）に設けた抜け止め構造（８）の凹部（９）又は溝部（１２）について、この取付台座（５，６）の設置時に、ピン（７）の先端近傍において下方へ向くように構成したものでは、この抜け止め構造（８）の凹部（９）又は溝部（１２）内に埃や油分が入りこまないので、この凹部（９）内にコイルばね（１０）と共に内挿した球面部（１１）の抜け止め機能を維持することができる。また、溝部（１２）内に取り付けた突起部（１３）を有する板ばね（１４）の抜け止め機能を維持することができる。
【発明を実施するための最良の形態】
【００１５】
本発明の機器誤認操作防止用タブレットの脱落防止構造は、機器ごとに固有の配置になる複数の挿通孔を設けたタブレットと、タブレットに設けた挿通孔と嵌り合うように複数本のピンを配置した結線表示板と現場機器の各取付台座と、を備え、取付台座から各タブレットが離脱しないように、取付台座のピンに、突出部が出没自在になる抜け止め構造と、から成るものである。
【００１６】
以下、本発明の好ましい実施の形態を図面を参照して説明する。
図１は表示板に取り付けたタブレットを示すものであり、（ａ）はタブレットの正面図、（ｂ）はタブレットの側面図、（ｃ）はタブレットの背面図、（ｄ）は取付台座の正面図、（ｅ）は取付台座の側面図である。図２は機器に取り付けたタブレットを示すものであり、（ａ）はタブレットの正面図、（ｂ）はタブレットの側面図、（ｃ）はタブレットの背面図、（ｄ）は取付台座の正面図、（ｅ）は取付台座の側面図である。
本発明の機器操作用誤認防止に使用するタブレット１は、所内結線表示板又は模擬母線などの結線表示板２に取り付ける表示板用と、現場に設置した現場機器３に取り付ける機器用の２枚１組として用いる。このタブレット１は、対称的な形状を有し、現場手動操作を誤りなく行うために使用する。タブレット１には挿通孔４を３箇所設ける。また、結線表示板２の取付台座５又は現場機器３の取付台座６にはピン７を３本突設する。このタブレット１は、手動操作の機器毎について作成する。タブレット１の挿通孔４の配置は、それぞれ適正に配置し、他のタブレット１と混同しないようになっている。なお、この挿通孔４の数は３箇所に限定されない。同様に、ピン７の本数も３本に限定されないことは勿論である。
【実施例１】
【００１７】
図３は実施例１のタブレットの脱落防止構造を示す取付台座の拡大側面図である。図４は実施例１のタブレットの脱落防止構造の拡大側断面図である。
実施例１のタブレットの脱落防止構造は、取付台座５，６から各タブレット１が離脱しないように、この取付台座５，６のピン７に、突出部が出没自在になる抜け止め構造８を設けたものである。実施例１の抜け止め構造８は、ピン７の先端近傍の側面から凹部９を開け、この凹部９内にコイルばね１０のような弾性部材を、ピン７の長手方向に対して直交する方向に出没自在になる球面部１１と共に内挿したものである。このように取付台座５，６のピン７に、球面部１１が出没自在になる抜け止め構造８を設けたので、垂直面に取付けられたタブレット１は、球面部１１が邪魔になって、振動している現場機器３又は結線表示板２から落下しない。また、取付台座５，６のピン７に設けられた、球面部１１が出没自在になる抜け止め構造８であれば、タブレット１を取付台座５，６に容易に掛け止めることができ、また簡単に取付台座５，６から容易に外すことができる。図１と図２の図示例では、取付台座５，６に突出させた１本のピン７のみに、本発明の抜け止め構造８を設けた状態を示している。しかし、抜け止め構造８を設ける本数は、１本のピン７のみに限定されない。また抜け止め構造８を設けるピン７の位置も特に限定されない。
【００１８】
図４に示すように、取付台座５，６のピン７に設けた抜け止め構造８の凹部９について、この取付台座５，６の設置時に、ピン７の先端近傍において下方へ向くように構成する。このように構成することで、この凹部９内に埃や油分が入り込まないので、この凹部９内にコイルばね１０と共に内挿した球面部１１の抜け止め機能を維持することができる。
なお、この凹部９の向きは下向きに限定されず、上向きや側方に向けることは勿論可能である。
【実施例２】
【００１９】
図５は実施例２のタブレットの脱落防止構造の拡大側断面図である。
実施例２のタブレットの脱落防止構造は、ピン７の先端近傍の側面から、ピン７の長手方向と平行になる溝部１２を開け、この溝部１２内に突起部１３を有する板ばね１４を突起部１３が出没自在になるように取り付けた抜け止め構造８である。このように取付台座５，６のピン７に、突起部１３が出没自在になるものでも、この垂直面に取付けられたタブレット１は、突起部１３が邪魔になって、振動している現場機器３又は結線表示板２から落下しない。
【００２０】
この実施例２の抜け止め構造８の溝部１２は、取付台座５，６の設置時に、ピン７の先端近傍において下方へ向くように構成したので、この溝部１２内に埃や油分が入りこまないので、この溝部１２内に取り付けた突起部１３を有する板ばね１４の抜け止め機能を維持することができる。
なお、この溝部１２の向きは下向きに限定されず、上向きや側方に向けることは可能である。
【００２１】
図６はタブレットを用いて現場機器を操作する手順を説明するもので、「常時運転状態」の説明図である。
２枚１組のタブレット１を用いて、現場機器３を操作する手順を説明する。
先ず、図示するように、「常時運転状態」では、配電盤室における所内結線表示板２には、該当する機器の位置（対象機器マーク）に表示板用のタブレット１が取り付けられている。この該当する現場機器（ＳＷＧ）、例えば「Ｎｏ．５ＢＳＣ  ＶＣＢ「入」」には、同形の機器用のタブレット１が取り付けられている。図示上では１個の表示板用のタブレット１しか記載されていないが、実際は十数個、又は数十個のタブレットが取り付けられている。
【００２２】
図７はタブレットを用いて現場機器を操作する手順を説明するもので、「ＶＣＢ引出し操作時」の説明図である。
次に、図示するように、手順１として「Ｎｏ．５ＢＳＣ  ＶＣＢ引出し操作時」では、配電盤室における「所内結線表示板」の該当する機器の位置に取り付けられている表示板用のタブレット１を外す。この表示板用のタブレット１を裏返しにして、該当する現場機器３の取付台座６に既に取り付けられている機器用のタブレット１に重ねて取り付ける。これにより、操作しようとする対象機器３を確認することで、誤認を防止することができる。なお、間違った対象機器３のときは、この表示板用のタブレット１が機器用のタブレット１に重ねて取り付けることができず、操作員はその機器３は目的とする機器でないことを認識することができる。
【００２３】
即ち、該当する現場機器３が正しいときは、この現場機器３の取付台座６に既に取り付けられている機器用のタブレット１に重ねて取り付けることができ、該当する現場機器３が異なるときは表示板用のタブレット１を機器用のタブレット１に重ねて取り付けることができないので、操作員はその操作現場において、誤認を容易に認識することができる。
【００２４】
機器用のタブレット１は、操作項目を表示した表裏面が異なる色彩の板材を張り合わせたものを用いる。同様に、表示板用のタブレット１も操作項目を表示した表裏面が異なる色彩の板材を張り合わせたものを用いる。図示例は、現場機器３の番号の「Ｎｏ．５ＢＳＣ」と操作項目の「押入」（表面）、「引出」（裏面）が記載されたものである。勿論この操作項目は一例で、他の種々の操作項目名を記載することができる。このように、本発明の表示用のタブレット１は裏返しにしてから、その操作項目を確認し、その裏返した表示用のタブレット１を、該当する現場機器３の位置の取付台座６に既に取り付けられている機器用のタブレット１に重ねて取り付けることにより、現場機器３の誤認を確実に防止できるだけでなく、操作項目も容易に確認することができる。
【００２５】
図８はタブレットを用いて現場機器を操作する手順を説明するもので、「ＶＣＢ引出し操作完了時」の説明図である。
最後に、図示するように、手順２として「Ｎｏ．５ＢＳＣ  ＶＣＢ引出し操作完了時」では、現場機器３に既に取り付けられている表示板用のタブレット１を外し、この表示板用のタブレット１を裏返しにしてから、配電盤室における所内結線表示板２の該当する機器の位置の取付台座５に戻すように取り付ける。このときも異なる機器マークの取付台座５には表示板用のタブレット１を戻すことができないようになっている。
【００２６】
なお、本発明は、現場機器又は所内結線表示板の取付台座に工夫を施すことで、タブレットが垂直面に取付けられている状態で、強風又は振動があっても所内結線表示板、現場機器等から脱落することを防止することができれば、上述した発明の実施の形態に限定されず、本発明の要旨を逸脱しない範囲で種々変更できることは勿論である。
【産業上の利用可能性】
【００２７】
本発明の機器誤認操作防止用タブレットの脱落防止構造は、発変電所の現場機器を操作する際に利用することができるが、更に風などで飛ばされやすいタブレットであれば、様々な機器や部材に着脱自在に取り付けるタブレットの脱落を防止する構造として利用することができる。
【図面の簡単な説明】
【００２８】
【図１】表示板に取り付けたタブレットを示すものであり、（ａ）はタブレットの正面図、（ｂ）はタブレットの側面図、（ｃ）はタブレットの背面図、（ｄ）は取付台座の正面図、（ｅ）は取付台座の側面図である。
【図２】機器に取り付けたタブレットを示すものであり、（ａ）はタブレットの正面図、（ｂ）はタブレットの側面図、（ｃ）はタブレットの背面図、（ｄ）は取付台座の正面図、（ｅ）は取付台座の側面図である。
【図３】実施例１のタブレットの脱落防止構造を示す取付台座の拡大側面図である。
【図４】実施例１のタブレットの脱落防止構造の拡大側断面図である。
【図５】実施例２のタブレットの脱落防止構造の拡大側断面図である。
【図６】タブレットを用いて現場機器を操作する手順を説明するもので、「常時運転状態」の説明図である。
【図７】タブレットを用いて現場機器を操作する手順を説明するもので、「ＶＣＢ引出し操作時」の説明図である。
【図８】タブレットを用いて現場機器を操作する手順を説明するもので、「ＶＣＢ引出し操作完了時」の説明図である。
【符号の説明】
【００２９】
１  タブレット
２  結線表示板
３  現場機器
４  挿通孔
５  取付台座（結線表示板側）
６  取付台座（現場機器側）
７  ピン
８  抜け止め構造
９  凹部
１０  コイルばね
１１  球面部
１２  溝部
１３  突起部
１４  板ばね
【図１】
2008116726.tif 000003
【図２】
2008116726.tif 000004
【図３】
2008116726.tif 000005
【図４】
2008116726.tif 000006
【図５】
2008116726.tif 000007
【図６】
2008116726.tif 000008
【図７】
2008116726.tif 000009
【図８】
2008116726.tif 000010